(57)【特許請求の範囲】
【請求項１】
検眼視標を被検者眼に呈示する視標呈示手段と、
被検者によって操作される操作シャフトであって、基準位置より傾斜可能な操作シャフトを有し、前記操作シャフトの傾斜方向を検出することによって、被検者の応答を入力する応答手段と、を備え、
被検者の自覚的な検査を行う視力計であって、
前記応答手段は、前記操作シャフトの下方に設けられて磁力を受ける又は磁力を発生する第１磁性部材と、前記操作シャフトを前記操作シャフトの前記基準位置に復帰させるために前記第１磁性部材を引き付ける力を発生する第２磁性部材と、
前記操作シャフトが傾斜した状態における前記操作シャフトの移動方向を前記操作シャフトの前記基準位置における軸に直交する４方向に制限する制限部材と、
前記操作シャフトが傾斜したときに前記操作シャフトと当接するスイッチであって、前記操作シャフトの前記基準位置における軸に直交する４方向に配置されているスイッチと、
を備えることを特徴とする視力計。
【請求項２】
被検者によって操作される操作シャフトであって、基準位置より傾斜可能な操作シャフトを有し、前記操作シャフトの傾斜方向を検出することによって、被検者の応答を入力する応答ユニットであって、
前記操作シャフトの下方に設けられて磁力を受ける又は磁力を発生する第１磁性部材と、
前記操作シャフトを前記操作シャフトの前記基準位置に復帰させるために前記第１磁性部材を引き付ける力を発生する第２磁性部材と、
前記操作シャフトが傾斜した状態における前記操作シャフトの移動方向を前記操作シャフトの前記基準位置における軸に直交する４方向に制限するための制限部材と、
前記操作シャフトが傾斜したときに前記操作シャフトと当接するスイッチであって、前記操作シャフトの前記基準位置における軸に直交する４方向に配置されているスイッチと、
を備えることを特徴とする応答ユニット。
【請求項３】
検眼視標を被検者眼に呈示する視標呈示手段と、
被検者によって操作される操作シャフトであって、基準位置より傾斜可能な操作シャフトを有し、前記操作シャフトの傾斜方向を検出することによって、被検者の応答を入力する応答手段と、を備え、
被検者の自覚的な検査を行う視力計であって、
前記操作シャフトが傾斜した状態における前記操作シャフトの移動方向を前記操作シャフトの前記基準位置における軸に直交する４方向に制限するための制限部材と、
前記操作シャフトが傾斜したときに前記操作シャフトと当接するスイッチであって、前記操作シャフトの前記基準位置における軸に直交する４方向に配置されているスイッチと、
を備えることを特徴とする視力計。
【発明の詳細な説明】
【技術分野】
【０００１】
本発明は、被検者眼に検眼視標を呈示して視力検査（検眼）を行う視力計及び被検者が応答するための応答ユニットに関する。
【背景技術】
【０００２】
被検者にランドルト環視標等の検眼視標を呈示し，呈示された視標に対して行われる被検者の判読結果の入力（応答）の正誤を判定し，その判定結果に基づいて被検者眼の視力を自動的に求める視力計が知られている（例えば、特許文献１参照）。この種の視力計においては、被検者の応答は、装置の被検者側に設けられている操作レバー（ジョイスティック）の傾斜によって行われる。レバーは、呈示される視標の向きに対応して上下左右（前後左右）の４方向に傾斜可能とされている。
【０００３】
このようなレバーは、４方向の内の所期する方向に所定角度傾斜されることによって接触式スイッチに当接し、レバーが傾斜された方向が入力される。また、このようなレバーでは、被検者がレバーから手を離した状態（レバーに応力が掛っていない状態）においては、レバーが基準位置（原点位置）に復帰するようになっている。４方向に設けられたスイッチには、板バネ等の付勢部材が各々付設されており、レバーを基準位置に復帰させるように４方向からレバーを付勢している。このため、スイッチ（及び付勢部材）は、レバーに近接して配置されている。
【先行技術文献】
【特許文献】
【０００４】
【特許文献１】特開２００１−３７７２１号公報
【発明の開示】
【発明が解決しようとする課題】
【０００５】
しかし、上記のような構成では、レバーを微妙に傾斜させただけで応答（スイッチに当接）してしまい、操作感が好ましくない。
【０００６】
本発明は、上記従来技術の課題に鑑み、レバーの操作感を向上できる視力計及び応答ユニットを提供することを技術課題とする。
【課題を解決するための手段】
【０００７】
上記課題を解決するために、本発明は以下のような構成を備えることを特徴とする。
（１）  検眼視標を被検者眼に呈示する視標呈示手段と、被検者によって操作される操作シャフトであって、基準位置より傾斜可能な操作シャフトを有し、前記操作シャフトの傾斜方向を検出することによって、被検者の応答を入力する応答手段と、を備え、被検者の自覚的な検査を行う視力計であって、前記応答手段は、前記操作シャフトの下方に設けられて磁力を受ける又は磁力を発生する第１磁性部材と、前記操作シャフトを前記操作シャフトの前記基準位置に復帰させるために前記第１磁性部材を引き付ける力を発生する第２磁性部材と、前記操作シャフトが傾斜した状態における前記操作シャフトの移動方向を前記操作シャフトの前記基準位置における軸に直交する４方向に制限する制限部材と、前記操作シャフトが傾斜したときに前記操作シャフトと当接するスイッチであって、前記操作シャフトの前記基準位置における軸に直交する４方向に配置されているスイッチと、を備えることを特徴とする。
（２）  被検者によって操作される操作シャフトであって、基準位置より傾斜可能な操作シャフトを有し、前記操作シャフトの傾斜方向を検出することによって、被検者の応答を入力する応答ユニットであって、前記操作シャフトの下方に設けられて磁力を受ける又は磁力を発生する第１磁性部材と、前記操作シャフトを前記操作シャフトの前記基準位置に復帰させるために前記第１磁性部材を引き付ける力を発生する第２磁性部材と、前記操作シャフトが傾斜した状態における前記操作シャフトの移動方向を前記操作シャフトの前記基準位置における軸に直交する４方向に制限するための制限部材と、前記操作シャフトが傾斜したときに前記操作シャフトと当接するスイッチであって、前記操作シャフトの前記基準位置における軸に直交する４方向に配置されているスイッチと、を備えることを特徴とする。
（３）  検眼視標を被検者眼に呈示する視標呈示手段と、被検者によって操作される操作シャフトであって、基準位置より傾斜可能な操作シャフトを有し、前記操作シャフトの傾斜方向を検出することによって、被検者の応答を入力する応答手段と、を備え、被検者の自覚的な検査を行う視力計であって、前記操作シャフトが傾斜した状態における前記操作シャフトの移動方向を前記操作シャフトの前記基準位置における軸に直交する４方向に制限するための制限部材と、前記操作シャフトが傾斜したときに前記操作シャフトと当接するスイッチであって、前記操作シャフトの前記基準位置における軸に直交する４方向に配置されているスイッチと、を備えることを特徴とする。
【発明の効果】
【０００８】
本発明によれば、レバーの操作感を向上できる。
【発明を実施するための形態】
【０００９】
以下、本発明の実施の形態を図面に基づいて説明する。図１は、本発明の実施形態である自動視力計の概略外観図（斜視図）である。
【００１０】
自動視力計である装置本体１の前側の上部には、被検者が本体１内に呈示される検眼視標を覗き込むための右眼用の検査窓２Ｒと左眼用の検査窓２Ｌとが設けられている。本体１の前側の下部には、予め設定されたプログラムに従って視力検査（検眼）を開始する信号を入力するためのボタン３と、呈示された視標が判読できないときに応答するためのボタン４と、呈示された視標の向きに対して被検者がその方向を応答するためのレバー部（レバーユニット）５と、が設けられている。本体１の前側の中央部には、音声ガイド等が出力される左右一対のスピーカ６が設けられている。本体１の側部には、検査結果を出力するプリンタ７が取り付けられている。
【００１１】
コントロールボックス４０は、ケーブル４２を介して本体１と接続されている。コントロールボックス４０には、本体１のパラメータ等を入力するための入力手段と入力されたパラメータ等を確認するための表示手段とを兼ねるタッチパネル式のモニタ４１が備えられている。
【００１２】
図２は、本体１内に配置されている光学系を上から見た時の概略構成図と装置の制御系の概略ブロック図である。検査窓２Ｒにはレンズ１０Ｒが配置されており、検査窓２Ｌにはレンズ１０Ｌが配置されており、検査窓２Ｒ及び２Ｌに対して奥側に設けられた視標窓１５Ｒ及び１５Ｌに視標が切換え配置されることにより、被検者の右眼ＥＲ及び左眼ＥＬから見かけ上５ｍの遠用距離（遠方距離）に視標が呈示される。なお、左右の光路は中央に仕切り板を持つ筒状の内部カバー１４Ｒ及び１４Ｌによって区分けされており、右眼ＥＬ及び左眼ＥＲが視標を見る視野空間が個別に確保されている。内部カバー１４Ｒ内の視野空間は内部照明ランプ１７Ｒによって照明され、内部カバー１４Ｌ内の視野空間は内部照明ランプ１７Ｌによって照明される。この内部カバー１４Ｒ及び１４Ｌは同一形状で形成されており、視標窓１５Ｒ及び１５Ｌも内部カバー１４Ｒ及び１４Ｌの同一位置に設けられている。したがって、右眼ＥＲ及び左眼ＥＬで検査窓２Ｒ及び２Ｌを介して本体１内を見たときには、右眼ＥＲ又は左眼ＥＬで検査窓２Ｒ又は２Ｌを介して本体１内を見たときと同様に、視標窓１５Ｒ及び１５Ｌは融像して１つに見える。
【００１３】
視標窓１５Ｒ及び１５Ｌに視標を切換え配置する視標呈示部２０には、視標ディスク２１と、ディスク２１を回転させるパルスモータ２２と、ディスク２１上の視標を照明する視標照明ランプ２４Ｒ及び２４Ｌと、が備えられている。これらにより、視標呈示手段（視標呈示ユニット）が構成されている。ディスク２１は透光性を持つガラス板からなり、その上には視力値０．１〜１．０、１．２、１．５の１２段階でそれぞれ上下左右の４方向のランドルト環視標（方向性を持つ視標であればランドルト環視標に限定されるものではない）が遮光性を持つクロムコートで形成されている。視標は、対となる同一の右眼用視標及び左眼用視標を右眼ＥＬ及び左眼ＥＲに同時に呈示できるように、視標窓１５Ｒ及び１５Ｌの位置関係に対応させてディスク２１上に形成されている。ディスク２１上の視標はモータ２２の回転によって対となる同一のものが視標窓１５Ｒ及び１５Ｌに配置され、各視標はランプ２４Ｒ及び２４Ｌによって照明される。
【００１４】
本体１全体を統括・制御する制御部３０には、ボタン３、ボタン４、後述するレバー部５のスイッチ部７０、スピーカ６、プリンタ７、ランプ１７Ｒ及び１７Ｌ、モータ２２、ランプ２４Ｒ及び２４Ｌ、コントロールボックス４０、等が接続されている。また、制御部３０には、視力検査（検眼）プログラムを記憶したメモリ３１が接続されている。メモリ３１には、被検者毎の検査結果が記憶される。
【００１５】
次に、レバー部５の構成について説明する。図３は、レバー部の横断面図であり、図４は、レバー部を下方から見た図である。図３（ａ）は、レバーが基準位置にある状態（正立した状態）の横断面図であり、図３（ｂ）は、レバーが傾斜された状態の横断面図である。図４は、図３（ａ）を下方（矢印Ａ方向）から見た図である。なお、図４では、後述する磁石８０の図示は略している。
【００１６】
レバー部５は、本体１の筐体１ａに挿通されて配置されている操作シャフト５０と、シャフト５０を傾斜（回転）可能に保持する保持部６０と、筐体１ａの内側に配置されて傾斜されたシャフト５０と当接する複数のスイッチ７１〜７４を備えているスイッチ部７０と、シャフト５０を基準位置に復帰させる磁石８０と、シャフト５０の傾斜方向を制限するピン（制限部材）８５ａ〜８５ｄと、を備えている。
【００１７】
シャフト５０は、被検者が操作するために持つ把持部５１と、スイッチ部７０のスイッチ７１〜７４に当接する当接部５２と、当接部５２の把持部５１との反対側の端部に設けられた，ネジ５５を保持するネジ受け部５３と、ネジ５５の抜けを抑制するかしめ部材５４と、ネジ５５（の頭）の位置を一定の位置とするスペーサ（位置変更部材）５６と、を備えている。
【００１８】
保持部６０は、把持部５１及び当接部５２を保持する球状の軸部６１と、軸部６１を回転可能に保持する軸受部６２と、軸受部６２を覆うと共にシャフト５０及び保持部６０を筐体１ａに固定するカバー６３と、を備えている。
【００１９】
スイッチ部７０は、シャフト５０が傾斜する４方向（上下左右方向（前後左右方向））に対応して配置されている４つのスイッチ７１〜７４と、スイッチ７１〜７４の各々の前面に配置されている４つの板バネ（付勢部材）７５〜７８と、を備えている。スイッチ７１は、ピン７１ａ及びスイッチ本体部７１ｂを備えている。スイッチ本体部７１ｂにピン７１ａが押し込まれることにより、信号が制御部３０に送られる。スイッチ７１は、板バネ７５と共に、固定部材７５ａによって筐体１ａに固定されている。板バネ７５は、弾性を有しており、当接部５２が接触したときにシャフト５０に抵抗力（反発力）を与える役割を持っている。また、板バネ７５は、当接部５２の当接を面で受けることにより、当接部５２の移動（当接）をピン７１ａに伝え易くなっている。なお、スイッチ７１には、クリック感を発生する機構が備えられている。すなわち、ピン７１ａがスイッチ本体部７１ｂに押し込まれ、スイッチ７１がオンの状態（信号が発生する状態）になると、ピン７１ａ及び板バネ７５を介してシャフト５０にクリック感（振動）が伝えられる。
【００２０】
他のスイッチ７２〜７４も、スイッチ７１と同様に、ピン７２ａ〜７４ａ及びスイッチ本体部７２ｂ〜７４ｂを備えている。また、スイッチ７２〜７４は、板バネ７６〜７８と共に、固定部材７６ａ〜７８ａによって筐体１ａに固定されている。また、板バネ７６〜７８は、当接部５２の当接を面で受けることにより、当接部５２の移動（当接）をピン７２ａ〜７４ａに伝え易くなっている。なお、スイッチ７２〜７４には、クリック感を発生する機構が備えられている。すなわち、ピン７２ａ〜７４ａがスイッチ本体部７２ｂ〜７４ｂに押し込まれ、スイッチ７２〜７４がオンの状態（信号が発生する状態）になると、ピン７２ａ〜７４ａ及び板バネ７６〜７８を介してシャフト５０にクリック感（振動）が伝えられる。
【００２１】
磁石８０は、シャフト５０の基準位置（原点位置、復帰位置、中立位置）における軸Ｖ上に配置されている。また、図４に示すように、当接部５２の周辺の４方向には、４つのピン８５ａ〜８５ｄが筐体１ａに固定されている。ピン８５ａ〜８５ｄにより、当接部５２（シャフト５０）は、図４の点線で示す軸Ｖに直交する４方向（上下左右方向（前後左右方向））にのみ傾斜可能となっている。なお、シャフト５０の基準位置とは、シャフト５０が正立した状態での位置をいう。
【００２２】
ネジ（第１磁性部材）５５は、磁石８０による磁力を受ける第１の磁性材料で形成されている。本実施形態では、ネジ５５は、鉄、ケイ素鋼、等の軟磁性材料で形成されている（軟磁性部材である）。一方、磁石（第２磁性部材）８０は、第２の磁性材料で形成されている。本実施形態では、磁石８０は、アルニコ磁石、ネオジウム磁石、フェライト磁石、等の永久磁石である。磁石８０は、シャフト５０が基準位置にある状態でシャフト５０の真下（軸Ｖ上）でネジ８５と対向するように、筐体１ａの内側に配置されている。
【００２３】
磁石８０とネジ５５との関係は、シャフト５０が傾斜した場合でも、ネジ５５が磁力を受けてシャフト５０を基準位置に復帰させる（図３では、下方に引っ張られる）力を受ける関係であり、このような関係になるように磁石８０の磁力と磁石８０とネジ５５（の頭）との距離とが定められている。具体的には、図３（ａ）の状態でシャフト５０に力を加えない場合には、シャフト５０の位置が維持され、且つ、被検者が把持部５１を持ってシャフト５０を傾斜させようとした場合には、シャフト５０がスムーズに傾斜されるような関係である。また、図３（ｂ）に示すように、シャフト５０が最大限（の角度）傾斜して当接部５２が板バネ７５（又は板バネ７６〜７８）に当接した状態でも、ネジ５５（シャフト５０）が下方に引っ張られる（シャフト５０が正立される）ような関係である。図３（ｂ）の状態でシャフト５０に加わる力が無くなると、ネジ５５は磁石８０の磁力を受け、シャフト５０は基準位置に復帰される。
【００２４】
スペーサ５６は、ネジ５５（の頭）と磁石８０との距離を一定とするものであり、軸Ｖ方向の長さが異なるスペーサ５６を複数用意し、ネジ５５と磁石８０との距離を変えることにより、シャフト５０の復元力が調節されてもよい。また、スペーサ５６は必ずしも必要ではない。
【００２５】
このようにして、ネジ５５及び磁石８０（第１及び第２磁性部材）を用いることにより、磁力によって非接触でシャフト５０を基準位置に復帰させる（基準位置における軸Ｖ方向に引き付ける）ことができる。すなわち、シャフト５０の基準位置への復帰をバネ等によって４方向から付勢する必要がないため、当接部５２と板バネ７５〜７８（スイッチ７１〜７４）との距離（空間）をあけることができる。これにより、シャフト５０の傾斜におけるストローク（シャフト５０を傾斜させてスイッチ信号が入力されるまでの傾斜角度（傾斜度合））を広くできるため、シャフト５０の僅かな傾斜による誤動作を抑制できる。また、ネジ５５と磁石８０との距離を変更することにより、シャフト５０の操作感（シャフト５０の操作時の重さ）を簡単に変更できる。また、シャフト５０の基準位置への復帰をバネ等で行う場合と比べて、装置の調整が行い易くなる。例えば、シャフト５０を４方向からバネで付勢する場合には、各バネの付勢力を調整する必要があるが、ネジ５５及び磁石８０を用いる場合には、このような調整は必要なくなる。これにより、装置の調整工数が抑えられ、装置のコストも抑えられる。また、長期使用による操作感の低下が起こり難くなる。
【００２６】
次に、以上のような構成を備える装置の動作について説明する。ここでは、遠用視力を検査する場合を例に挙げる。検者は、先ず、被検者を本体１の前方に位置させ、検査窓２Ｒ及び２Ｌを覗かせる。次に、検者は、ボタン３を押して（被検者に押させて）検査を開始する。検査の開始信号が制御部３０に入力されると、制御部３０は、「視力を自動で計ります。軽くレバーを倒して下さい。」というように、スピーカ６から最初の音声ガイドを発生する。被検者が音声ガイドに従ってレバー部５のシャフト５０を倒すと、その信号を受けて制御部３０は装置を可動状態にする。
【００２７】
制御部３０は、先ず、ランプ１７Ｒ及び１７Ｌとランプ２４Ｒ及び２４Ｌとを点灯する共に、視標窓１５Ｒ及び１５Ｌに視力値０．５の視標を配置して呈示する。スピーカ９からは「右手で軽くレバーを持ち、左手は手前のボタンに添えて、窓を覗いて下さい。」との音声ガイドが発生される。次に、「視力を計ります。輪の切れた方向（ランドルト環視標の場合）に軽くレバーを倒して下さい。輪の切れた方向が分からないときは、手前のボタンを押して下さい。」との音声ガイドが発生される。被検者がレバー部５（シャフト５０）又はボタン４で応答すると、視力検査プログラムが実行される。
【００２８】
視力検査は、遠用視力検査が右眼、左眼、両眼の順で連続して進行するようにプログラミングされている。
【００２９】
視力値を判定する視力検査プログラムについて説明する。制御部３０の制御によってスピーカ６からは「方向は？」との音声ガイドが発生され、呈示された視標の向きの判読結果に基づいて被検者がシャフト５０を傾斜させる。被検者が視標の判読結果をレバー部５によって応答すると、制御部３０によってその正誤が判定される。応答が正しければ、一段階上げられた視力値の視標が呈示され、応答が誤りであれば、一段階下げられた視力値の視標が呈示される。視力値を一段階上げて誤答であった場合、またはボタン４によって判読不能の応答があった場合には、視力値を被検者が見えていた段階まで戻し、さらに視標の向きを変えて検査を続ける。こうして被検者に呈示する視標がプログラムに従って順次変更され、応答の正誤判定により、同一視力値の視標で２回以上正答があれば、その視力値があるものとして制御部３０によって判定される。すなわち、レバー部５（シャフト５０）及びボタン４が応答手段（応答ユニット）を構成しており、制御部３０が判定手段（判定ユニット）を構成している。
【００３０】
右眼の遠用視力検査が終了すると、同様に左眼の遠用視力検査、両眼の遠用視力検査が行われ、それぞれの検査結果が得られる。
【００３１】
全ての検査が終了すると、スピーカ６からは「終わりました。装置の右側から検査結果が印刷されます。」と音声ガイドが発生され、プリンタ７から検査結果が出力される。また、検査結果は、モニタ４１に表示されると共に、メモリ３１に記憶される。なお、視力検査の動作は、特開２００１−３７７２１号公報に記載の内容が利用できる。
【００３２】
なお、以上の説明では、磁石８０を永久磁石としたが、これに限るものではない。例えば、電磁石を利用してもよい。また、シャフト５０の基準位置への復帰をネジ５５（第１磁性部材）及び磁石８０（第２磁性部材）によって行うものとしたが、これに限るものではない。第１磁性部材を磁石とし、第２磁性部材をネジ等の軟磁性部材としてもよい。また、第１及び第２磁性部材を互いに引き合う磁石としてもよい。また、第１磁性部材であるネジ５５をシャフト５０に固定するものとしたが、これに限るものではない。シャフト５０自体を第１磁性部材としてもよい。例えば、保持部５２の下部を下方に延伸し、延伸部分を第１磁性部材としてもよい。
【００３３】
また、以上の説明では、スイッチ７１〜７４に当接部５２が接触したときにクリック感をシャフト５０に与えるものとしたが、必ずしも必要ではない。
【００３４】
また、以上の説明では、レバー部５は、略水平に配置されており、前後左右方向にシャフト５０を傾斜させることにより、呈示された視標の向き（上下左右方向）を入力するものとしたが、これに限るものではない。レバー部５は、傾斜して配置されていてもよいし、略垂直に配置されていてもよい。また、レバー部５の傾斜方向として４方向としたが、これに限るものではない。２方向、８方向、等でもよい。このような場合、シャフト５０の傾斜方向を制限するピン（８５ａ〜８５ｄ）の配置を適宜変更すると共に、スイッチ部７０の配置数及び配置方向を変更すればよい。すなわち、スイッチ部７０は軸Ｖに直交する軸上に４つ（２対）配置されているものに限るものではなく、軸Ｖを中心に対向して少なくとも２つ（１対）配置されていればよい。
【００３５】
なお、以上の説明では、視標呈示部２０は、ディスク２１をランプ２４Ｒ及び２４Ｌで照明することによって被検者眼に視標を呈示するものとしたが、これに限るものではない。液晶ディスプレイ等のディスプレイによって被検者眼に視標を呈示するものとしてもよい。
【００３６】
なお、以上の説明では、視力計１は、自動的に視力検査を行うものとしたが、これに限るものではない。手動によって視力検査を行うものでもよい。また、被検者眼の視力値を自覚的に検査するものとしたが、これに限るものではない。被検者眼の視野、コントラスト感度、両眼視機能、等を自覚的に検査するものでもよい。
【図面の簡単な説明】
【００３７】
【図１】視力計の概略外観図である。
【図２】視力計の光学系及び制御系を示す図である。
【図３】レバー部５の横断面図である。
【図４】レバー部５を下方から見た図である。
【符号の説明】
【００３８】
５  レバー
５０  シャフト
５１  把持部
５２  当接部
５５  ネジ
６０  保持部
７０  スイッチ
８０  磁石
【図１】
0005879684.tif 000002
【図２】
0005879684.tif 000003
【図３】
0005879684.tif 000004
【図４】
0005879684.tif 000005